(57)【特許請求の範囲】
【請求項１】
画像を表示する表示部と、
外部機器と接続される接続端子と、
前記接続端子の内の第１端子にＨＤＲ画像信号と異なる非ＨＤＲ画像信号が入力したことを判断した場合に、前記表示部に、前記非ＨＤＲ画像信号に対応する表示設定情報に変更するための設定画像を表示させるコントローラと、を備える電子機器。
【請求項２】
前記コントローラは、前記表示部に、前記ＨＤＲ画像信号に対応する表示設定情報と、
前記非ＨＤＲ画像信号に対応する表示設定情報のいずれか一方に変更するための設定画像を表示する、請求項１に記載の電子機器。
【請求項３】
前記コントローラは、前記外部機器が前記第１端子にＨＤＭＩケーブルを介して接続された場合に、前記設定画像を表示させる請求項１に記載の電子機器。
【請求項４】
前記コントローラは、前記外部機器が前記第１端子にＨＤＭＩケーブルを介して接続されている状態で、リモートコントローラ操作に基づいて、前記設定画像を表示させる請求項２に記載の電子機器。
【請求項５】
前記コントローラは、ＥＯＴＦ、色空間、及び最大輝度を変更する機能を備える請求項１に記載の電子機器。
【請求項６】
画像を表示する表示部と、外部機器と接続される接続端子とを備える電子機器に適用する表示方法であって、  
前記接続端子の内の第１端子にＨＤＲ画像信号と異なる非ＨＤＲ画像信号が入力したことを判断した場合に、前記表示部に、前記非ＨＤＲ画像信号に対応する表示設定情報に変更するための設定画像を表示する、表示方法。
【発明の詳細な説明】
【技術分野】
【０００１】
本発明の実施形態は、電子機器、及び表示方法に関する。
【背景技術】
【０００２】
近年、高画質テレビジョン（ＴＶ）は、ハイダイナミックレンジ（High Dynamic Range : HDR）に対応する製品が増えてきている。ＨＤＲに対応したＴＶは、標準的なダイナミックレンジ（Standard dynamic range : SDR）の明るさレベルと比較して、明るさレベルの白色部分で輝度差が大きくなる。従って、ＨＤＲ非対応ＴＶで再生したＳＤＲ画像信号の映像の輝度よりも、ＨＤＲ対応ＴＶで再生したＳＤＲ画像信号の映像の輝度の方が、全体的に映像の輝度が低く成り得る。その結果、ＨＤＲ対応ＴＶで再生したＳＤＲ画像信号の映像は、輝度差の変化に応じて全体的に暗く成り得る。
【先行技術文献】
【特許文献】
【０００３】
【特許文献１】特表２０１４−５３２１９５号公報
【発明の概要】
【発明が解決しようとする課題】
【０００４】
実施形態が解決しようとする課題は、ユーザの意向にあった最適な画像を提供することができる電子機器、及び表示方法を提供することである。
【課題を解決するための手段】
【０００５】
本実施形態に係る電子機器は、画像を表示する表示部と、外部機器と接続される接続端子と、前記接続端子の内の第１端子にＨＤＲ画像信号と異なる非ＨＤＲ画像信号が入力したことを判断した場合に、前記表示部に、前記非ＨＤＲ画像信号に対応する表示設定情報に変更するための設定画像を表示させるコントローラと、を備える。
【図面の簡単な説明】
【０００６】
【図１】図１は、電子機器本体を中心として構成される電子機器の一例を概略図である。
【図２】図２は、実施形態の電子機器本体の一例を示すブロック図である。
【図３】図３は、外部機器からＳＤＲ画像信号を受信した場合の表示設定の表示画面の一例を示す図である。
【図４】図４は、ＨＤＭＩ（登録商標）の規格と表示設定との関係を示すテーブルの一例を示す図である。
【図５】図５は、表示設定を表示する操作信号を受信した場合の表示設定の表示画面の一例を示す図である。
【図６】図６は、ＨＤＲ画像信号の表示設定の切換機能の一例を示す図である。
【図７Ａ】図７Ａは、詳細な入力信号情報表示の一例を示す図である。
【図７Ｂ】図７Ｂは、詳細な入力信号情報表示の一例を示す図である。
【図８】図８は、簡易的な入力信号情報表示の一例を示す図である。
【図９】図９は、実施形態の電子機器本体５の表示設定の変更を示すフローチャートである。
【発明を実施するための形態】
【０００７】
以下、図面を参照して実施形態の説明をする。  
（実施形態）  
図１は、電子機器本体５を中心として構成される電子機器システム１の一例を示す概略図である。  
電子機器システム１は、電子機器本体５と、リモートコントローラ（リモコン）３０２と、電子機器本体５にケーブル６を介して接続された記録再生機器３０６とを含む。電子機器本体５は、例えば、テレビジョン（ＴＶ）受信機、又はディスプレイ等である。記録再生機器３０６は、例えば、レコーダ、パーソナルコンピュータ（ＰＣ）、又はサーバ等である。以下で、電子機器本体５、及び記録再生機器３０６は、ハイダイナミックレンジ（High Dynamic Range : HDR）に対応するものとして説明する。したがって、電子機器本体５は、ＨＤＲの画像信号を受けた場合、ＨＤＲが生かされるようＨＤＲに対応する画像（表示）設定で表示する。ここで、ＨＤＲは、通常のダイナミックレンジ（Standard Dynamic Range : SDR）よりも幅広いダイナミックレンジである。ＨＤＲでは、画像の諧調が圧縮されていない。ＳＤＲでは、画像の諧調が圧縮されている。ＨＤＲでは、ディスプレイの輝度が、米国映画テレビ技術者協会（Society of Motion Picture and Television Engineers : SMPTE）により１００００nit（カンデラ平方メートル：cd/m2）と規定されている。また、ＳＤＲは、ディスプレイの輝度が、１００nitである。以下で、画像、映像、及び動画を同等の意味として記載する。
【０００８】
電子機器本体５は、衛星及び／又は地上波（地上デジタル）等のデジタル放送で配信されるコンテンツの構成する信号を受信し、受信したコンテンツの構成する信号を変換してコンテンツとして表示する。電子機器システム１は、録画番組等の動画、写真等の静止画や音楽等の情報を記録再生機器３０６で記録及び／又は再生することができる。
【０００９】
図２は、本実施形態の電子機器本体５の一例を示すブロック図である。  
本実施形態の電子機器本体５は、アンテナ部１０４と、外部入力端子１０５と、外部出力端子１０６及び１０７と、入力部１１１と、復調部１１２と、信号処理部１１３と、ＯＳＤ信号生成部１１５と、グラフィック処理部１１６と、映像処理部１１７と、表示部１１８と、音声処理部１１９と、音声出力部（スピーカ）１２０と、操作部２０１と、受信部２０２と、通信インターフェース（Ｉ／Ｆ）２０３と、ネットワーク制御部２０４と、ＵＳＢ（Universal Serial Bus）インターフェース（Ｉ／Ｆ）２０５と、ＨＤＭＩ（登録商標）（High-Definition Multimedia Interface）インターフェース（Ｉ／Ｆ）２０６と、カードインターフェース（Ｉ／Ｆ）２０７と、カードホルダ２０８と、システムコントローラ（以下、コントローラ）２５０と、を備えている。
【００１０】
アンテナ部１０４は、デジタル放送波を受信し、入力部１１１に出力する。  
外部入力端子１０５は、専用回線、端末機器及び／又は外部機器等と接続するための端子である。  
外部出力端子（音声出力端子）１０６は、後述する音声処理部１１９から出力される音声信号を、外部機器として接続される音声機器に出力するための端子である。  
外部出力端子（映像出力端子）１０７は、後述する映像処理部１１７から出力される映像を、外部機器として接続される表示機器に出力するための端子である。
【００１１】
入力部１１１は、受信信号を選択する少なくとも１つのチューナを備える。入力部１１１は、地上デジタル放送信号、ＢＳ（Broadcasting satellite）放送信号、及びＣＳ（Communications satellite）信号放送等に対応する８つのチューナを備えている。入力部１１１は、アンテナ部１０４で受信される放送事業者が放送用回線及び／又は空間波により供給される番組の信号を少なくとも１つのチューナで所定の周波数を選局して取得する。入力部１１１は、外部入力端子１０５から信号を取得することもできる。入力部１１１は、取得した信号を復調部１１２に出力する。
【００１２】
ここで、地上デジタル放送信号は、地上波放送であり、地上放送波として空間波や回線等で伝送される信号であり、ＢＳ及びＣＳ放送信号は、衛星波放送であり、衛星波として無線通信によって伝送される信号である。ここで、地上放送波及び衛星波をまとめて放送波と称する場合もある。
【００１３】
復調部１１２は、変調されている信号を復調する。復調部１１２は、複数のチューナに対応する複数の復調部を備えている。復調部１１２は、例えば、伝送路で伝送するために適合するように変調された信号を復調し、復調して得た、例えばトランスポート・ストリームを信号処理部１１３へ出力する。なお、復調部１１２は、入力部１１１と一体に形成されていてもよい。
【００１４】
信号処理部１１３は、復調部１１２から取得したトランスポート・ストリームを映像信号（ビデオ）と音声信号（オーディオ）と表示制御情報とに分離する。この分離時、トランスポート・ストリームに複数の番組が含まれている場合、所望の番組の映像信号と音声信号とが選択される。さらに、信号処理部１１３は、放送局側にて例えば高能率符号化された映像信号に対して復元処理（復号処理）を実行する。信号処理部１１３は、映像信号を復元処理によって復号してグラフィック処理部１１６へ出力し、音声信号を復号化せず音声処理部１１９に出力する。また、信号処理部１１３は、コンテンツ再生時には、後述するコントローラ２５０から入力されたコンテンツの再生信号を選択し、復号等、所定の信号処理を施し、グラフィック処理部１１６及び音声処理部１１９に出力する。
【００１５】
また、信号処理部１１３は、外部入力端子３１が接続されている。外部入力端子３１は、複数の端子３１ａ、３１ｂ、３１ｃ、及び３１ｄ等を含む。信号処理部１１３は、外部入力端子３１を介して外部機器からの映像信号及び音声信号が入力される。
【００１６】
ＯＳＤ信号生成部１１５は、コントローラ２５０からの制御に基づいてＯＳＤ（On Screen Display）信号を生成する。ＯＳＤ信号生成部１１５は、生成したＯＳＤ信号をグラフィック処理部１１６に出力する。
【００１７】
グラフィック処理部１１６は、信号処理部１１３から供給される映像信号に、ＯＳＤ信号生成部１１５で生成されるＯＳＤ信号を重畳して出力する機能を有する。このグラフィック処理部１１６は、信号処理部１１３からの映像信号と、ＯＳＤ信号生成部１１５からのＯＳＤ信号とを選択的に出力すること、また、両出力を組み合わせて映像処理部１１７へ出力（即ち、ミキシング）することができる。
【００１８】
映像処理部１１７は、グラフィック処理部１１６から入力された映像信号を、表示部１１８が表示可能な所定の解像度及び出力方式に変換し、この変換した映像信号を表示部１１８へ出力する。例えば、後述する表示部１１８が電子機器本体５に接続されている場合、映像処理部１１７は、表示部１１８での表示に適した解像度及び出力方式に変換し、表示部１１８へ出力する。映像処理部１１７は、外部機器として接続される外部モニタ装置あるいは投影装置（プロジェクタ装置）等への外部出力端子１０７に前述の映像信号を出力してもよい。
【００１９】
音声処理部１１９は、放送局側にて例えば高能率符号化された、信号処理部１１３から入力された番組の音声／音響信号（オーディオ）に対して復元処理（復号処理）し、音声出力部１２０に出力する。  
音声出力部１２０は、音声を出力する機器等であり、例えば、スピーカ等である。
【００２０】
操作部２０１は、ユーザによる直接操作に対応する操作信号（操作コマンド）を後述するコントローラ２５０に入力する。  
受信部２０２は、外部端末、例えば、リモコン３０２からの入力信号に対応する制御コマンドを後述するコントローラ２５０に入力する。リモコン３０２は、専用リモートコントローラ、スマートフォン、携帯電話、及びタブレット端末等を含む。
【００２１】
通信インターフェース（Ｉ／Ｆ）２０３は、例えば、Ｗｉ−Ｆｉ（Wireless Fidelity）規格等に準拠する無線通信機器との間の無線通信を実現する。なお、無線通信規格としては、例えば近距離無線通信規格のＢｌｕｅｔｏｏｔｈ（登録商標）規格やＮＦＣ（Near Field Communication）等も利用可能である。通信インターフェース２０３は、また、有線方式／無線方式のいずれであってもよく、例えば、ワイヤレスキーボードやマウス等との間の信号の送受信が可能な通信ユニット等が接続する。また、通信インターフェース２０３は、例えば、非接触のカード媒体との間の通信が可能なカードリーダ（読取部）３０４等との通信もできる。
【００２２】
ネットワーク制御部２０４は、外部ネットワーク、例えば、インターネット（ＩＰネットワーク）へのアクセスを制御する。ネットワーク制御部２０４は、インターネット（ＩＰネットワーク）上で情報の送受信（ネットワーク通信）を実行する。例えば、ネットワーク制御部２０４は、ＩＰネットワークを介して画像情報を受信することもできる。
【００２３】
ＵＳＢインターフェース（Ｉ／Ｆ）２０５は、例えば、ＵＳＢ規格に準拠する外部機器、例えば、外付けの記録再生装置３０６（記憶媒体（記憶装置）、第１の記憶媒体と称してもよい）等が接続される。  
ＨＤＭＩインターフェース（Ｉ／Ｆ）２０６は、ＨＤＭＩ規格またはＭＨＬ（Mobile High-definition Link）規格を利用する複数の機器の間の有線通信を可能にする。また、記録再生装置３０６は、ケーブル６、例えば、ＨＤＭＩケーブル６を介してＨＤＭＩインターフェース２０６に接続されている。なお、記録再生装置３０６は、外部入力端子３１を介して、ＨＤＭＩ、ＤＶＩや、Ｄｉｓｐｌａｙ  Ｐｏｒｔ等で電子機器本体５に接続されていてもよい。
【００２４】
コントローラ２５０は、電子機器本体５の各部の動作を制御するメインコントローラである。すなわち、コントローラ２５０は、入力部１１１、復調部１１２、信号処理部１１３、ＯＳＤ信号生成部１１５、グラフィック処理部１１６、映像処理部１１７と、表示部１１８、音声処理部１１９、音声出力部１２０、操作部２０１、受信部２０２、通信インターフェース２０３、ネットワーク制御部２０４、ＵＳＢインターフェース２０５、ＨＤＭＩインターフェース２０６、カードＩ／Ｆ２０７、及びカードホルダ２０８等を制御する。また、コントローラ２５０は、携帯型端末、例えば、スマートフォン、携帯電話、タブレット端末、及びノートＰＣ等からの操作信号に基づいて、各部を制御することもできる。
【００２５】
コントローラ２５０は、信号処理部１１３から、番組を取得するための各種データや電子番組ガイド（ＥＰＧ）情報、番組属性情報（番組ジャンル等）、字幕情報等（サービス情報、ＳＩやＰＳＩ）を取得することもできる。コントローラ２５０は、これら入力された情報からＥＰＧや字幕を表示するための画像生成処理をＯＳＤ信号生成部１１５で実行し、この生成した画像情報をグラフィック処理部１１６及び映像処理部１１７を介して表示部１１８へ出力する。
【００２６】
コントローラ２５０は、受信部２０２、通信インターフェース２０３、ネットワーク制御部２０４、ＵＳＢインターフェース２０５、ＨＤＭＩインターフェース２０６、及びカードホルダ２０８等に接続される各種機器を制御することもできる。
【００２７】
コントローラ２５０は、ＣＰＵ２５１と、ＲＯＭ（Read Only Memory）２５２と、ＲＡＭ（Random Access Memory）２５３と、ＮＶＭ(Non-Volatile Memory)２５４と、表示設定部２５５と、接続制御部２５６と、を含む。コントローラ２５０は、これらを回路としてそれぞれを電気的に接続し、各種制御を実行する。また、コントローラ２５０は、これらをファームウェアとして備えていてもよい。
【００２８】
ＣＰＵ２５１は、電子機器本体５の動作を制御するメインプロセッサである。また、ＣＰＵ２５１は、コントローラ２５０に含まれる複数の回路もそれぞれ制御する。ＣＰＵ２５１は、操作部２０１からの操作信号、及び外部機器等からの操作信号を受信部２０２を介して受けることにより、これらの操作信号に従って電子機器本体５の各部をそれぞれ制御する。
【００２９】
ＲＯＭ（読取専用メモリ）２５２は、コントローラ２５０が実行する制御プログラムを保持する。  
ＲＡＭ（ランダムアクセスメモリ（ワークメモリ））２５３は、コントローラ２５０に作業エリアを提供する。  
ＮＶＭ（不揮発性メモリ）２５４は、電子機器本体５の各種の設定情報、制御情報や、番組表の構築内容情報等の各種データを格納する。
【００３０】
表示設定部２５５は、操作信号に応じて種々の画像の表示設定を変更し、表示識別情報（表示設定情報）を更新する。表示識別情報は、電子機器本体５の表示設定を示す情報であり、記憶媒体、例えば、ＮＶＭ２５４に格納されている。
【００３１】
表示設定部２５５は、設定されている画像の表示設定（例えば、ダイナミックレンジ）と異なる表示設定の画像信号を受信した場合、表示設定の選択肢を含む表示設定情報を表示部１１８に表示する。
【００３２】
また、表示設定部２５５は、表示設定を表示する操作信号を受信した場合にも、表示設定を表示部１１８に表示することができる。表示設定部２５５は、設定表示の選択肢の選択に応じて、表示部１１８に表示する画像の表示設定を変更する。
【００３３】
なお、表示設定部２５５は、外部入力端子３１、ＨＤＭＩインターフェース２０６に接続された端子（第１端子）、及びＵＳＢインターフェース２０５に接続された端子（第２端子）等の端子毎に表示設定を設定することもできる。  
接続制御部２５６は、表示設定部２５５により表示識別情報が更新された場合に、外部機器との接続を制御する。
【００３４】
＜表示設定の変更＞  
以下で、図面を参照して、本実施形態の表示設定の変更の一例を示す。  
図３は、外部機器から画像信号を受信した場合の表示設定の表示画面の一例を示す図である。図４は、ＨＤＭＩの規格と表示設定との関係を示すテーブルの一例を示す図である。テーブルＴ４１は、例えばＮＶＭ２５４に格納されている。テーブルＴ４１に示すように、ＨＤＭＩ２．０は、ＨＤＲ画像信号に対応するが、ＨＤＭＩ１．４ｂ、ＨＤＭＩ１．３及びＨＤＭＩ１．２は、ＨＤＲ画像信号に対応していない。  
以下、外部機器として記録再生装置３０６が、ＨＤＭＩケーブルを介して電子機器本体５と接続されているものとして説明する。
【００３５】
ここで、記録再生装置３０６がＨＤＲ、ＳＤＲに対応する組み合わせとしては、ＨＤＲ及びＳＤＲに対応する場合と、ＨＤＲに対応していないがＳＤＲに対応している場合と、ＳＤＲに対応していないがＨＤＲに対応しているとがある。なお、電子機器本体５は、ＨＤＲ、及びＳＤＲに対応しているものとして説明する。また、本実施形態では、記録再生装置３０６が、ＳＤＲに対応していないがＨＤＲに対応している機器である場合の説明については割愛する。
【００３６】
記録再生装置３０６と電子機器本体５とがＨＤＭＩケーブルで接続された場合、記録再生装置３０６は、電子機器本体５に対して、電子機器本体５の表示設定情報を問い合わせる。電子機器本体５は、記録再生装置３０６に対して、自機で記憶している表示設定情報を送信する。
【００３７】
また、コントローラ２５０は、記録再生装置３０６がＨＤＲに対応した機器（ＨＤＲ対応機器）、又はＨＤＲに対応していない機器（ＨＤＲ非対応機器）であって、記録再生装置３０６からＳＤＲ画像信号を受信した場合、表示設定部２５５を制御することで、表示部１１８に表示設定表示（表示設定メニュー、又は表示設定ボタン）Ｐ３１を表示することができる。このとき、表示設定表示Ｐ３１は、例えば「ＨＤＲ画像信号を有効にするか選択できます」、或いは「ＨＤＲ設定を変更します」などのコメントを例えば自動表示する。表示設定表示Ｐ３１は、ユーザがメニュー画面を操作することにより表示されてもよい。この表示設定表示Ｐ３１は、ＨＤＲモード表示Ｐ３１１と、通常（非ＨＤＲ）モード表示Ｐ３１２とを含む。ユーザは、リモコン３０２等を介してＨＤＲモード表示Ｐ３１１、又は通常モード表示Ｐ３１２を選択することができる。以下にＨＤＲモード表示Ｐ３１１が選択された場合と、通常モード表示Ｐ３１２が選択された場合とを順次説明する。
【００３８】
＜ＨＤＲモード表示Ｐ３１１選択時＞  
コントローラ２５０は、ＨＤＲモード表示Ｐ３１１が選択され決定された場合、表示識別情報、例えば、ＥＤＩＤ（Extended Display Identification Data）をＨＤＲに対応することを示す内容に設定する。また、コントローラ２５０は、電子機器本体５の表示設定をＨＤＲに対応することを示す内容に設定する。ＥＤＩＤは、電子機器本体５が利用可能なフォーマット等を含むケーパビリティ（Capability）を示すデータである。なお、コントローラ２５０は、記憶媒体、例えば、ＲＯＭ２５２、ＲＡＭ２５３、及びＮＶＭ２５４等に格納されている複数のＥＤＩＤ、例えば、ＨＤＲに対応に示すＥＤＩＤ、ＨＤＲに非対応を示すＥＤＩＤ等から選択してもよい。
【００３９】
さらに、コントローラ２５０は、記録再生装置３０６に設定したＥＤＩＤを送信する。例えば、コントローラ２５０は、ＥＤＩＤ（２５６Byte）の198Byte目にHDR Static Metadata Data BlockがあるＥＤＩＤを記録再生装置３０６に送信する。
【００４０】
このとき、コントローラ２５０は、ＥＤＩＤの通信モードの表示設定情報、例えば、図４に示す、高速通信モード（６Ｇ）、及び通常通信モード（３Ｇ）における表示設定情報をＨＤＲに対応する表示設定情報に変更する。
【００４１】
＜通常モードＢ３１２選択時＞  
コントローラ２５０は、通常モード表示Ｐ３１２が選択され決定された場合、ＥＤＩＤをＨＤＲに非対応であることを示す内容に設定する。また、コントローラ２５０は、電子機器本体５の表示設定をＨＤＲに非対応である（又は、ＳＤＲに対応する）ことを示す内容に設定する。
【００４２】
さらに、コントローラ２５０は、記録再生装置３０６に設定したＥＤＩＤを送信する。例えば、コントローラ２５０は、ＥＤＩＤ（２５６Byte）の198Byte目にHDR Static Metadata Data BlockがないＥＤＩＤを記録再生装置３０６に送信する。
【００４３】
このとき、コントローラ２５０は、ＥＤＩＤの通信モードの情報、例えば、図４に示すように、高速通信モード（６Ｇ）、及び通常通信モード（３Ｇ）の情報をＳＤＲに対応する情報に設定する。
【００４４】
＜ＨＤＭＩケーブル以外を経由して取得した画像設定の変更＞  
電子機器本体５は、ＵＳＢケーブルを介して接続される機器やインターネットからコンテンツデータを受信することもできる。
【００４５】
コントローラ２５０は、ＨＤＲモード表示Ｐ３１１が選択された場合、受信したコンテンツデータの画像設定情報（メタデータ）をＨＤＲに対応する内容に設定することができる。例えば、コントローラ２５０は、このコンテンツデータの画質設定情報を変更し、ハイダイナミックレンジ設定をオン（明暗差を拡大）にする。
【００４６】
コントローラ２５０は、通常モード表示Ｐ３１２が選択された場合、受信したコンテンツデータの画像設定情報をＳＤＲに対応する内容に設定することができる。例えば、コントローラ２５０は、このコンテンツデータの画質設定情報を変更し、ハイダイナミックレンジ設定をオフ（明暗差を縮小）にする。  
コントローラ２５０は、画像設定情報を変更したコンテンツデータを記憶媒体に格納し、設定した画像設定情報に基づいてコンテンツデータを再生することができる。
【００４７】
＜ＥＤＩＤの情報変更時＞  
前述のように、ＥＤＩＤの情報を変更した場合、コントローラ２５０は、記録再生装置（ソース側）３０６に送信するＨＰＤ（Hot Plug Detect）信号をロー（Low）に一旦落とし、ＨＰＤを再度ハイ（High）にする。記録再生装置（ソース側）３０６は、ＨＰＤのハイの信号を検出した場合、電子機器本体（シンク側）５の変更したＥＤＩＤを要求する信号をＤＤＣ（Display Data Channel）経由で送信する。
【００４８】
コントローラ２５０（電子機器本体５）は、変更したＥＤＩＤを要求する信号を受けると、記録再生装置３０６に変更したＥＤＩＤを伝送する。記録再生装置３０６は、変更したＥＤＩＤに含まれる情報に基づいて、画像を出力する。
【００４９】
図５は、表示設定を表示する操作信号を受信した場合の表示設定の表示画面の一例を示す図である。図５において、表示画像Ｇ５１は、ＨＤＲに対応する表示設定の電子機器本体５のもとで、ＳＤＲ画像信号を表示した例を示し、表示画像Ｇ５２は、ＳＤＲに対応する表示設定の電子機器本体５のもとでＳＤＲ画像信号を表示した例を示している。図５において、記録再生装置３０６は、ＨＤＲに対応していないがＳＤＲに対応している機器であるものとする。すなわち、記録再生装置３０６は、ＳＤＲ画像信号のみを電子機器本体５に送信している。
【００５０】
ここで、図５（ａ）は、電子機器本体５の表示設定がＨＤＲに対応する内容である場合を示す。今、図５（ａ）の状態から、ユーザが例えばリモコン３０２等を介して電子機器本体５に表示設定表示Ｐ５１を表示する操作信号を送信した場合、コントローラ２５０は、表示部１１８の表示画像Ｇ５１上に表示設定表示Ｐ５１を表示する。表示設定表示Ｐ５１は、ＨＤＲモード表示Ｐ５１１と、通常（非ＨＤＲ）モード表示Ｐ５１２とを含む。なお、表示設定表示Ｐ５１は、図３に示した表示設定表示Ｐ３１とほぼ同等である。
【００５１】
ユーザが、図５（ａ）の状態から、リモコン３０２等を介して通常モード表示Ｐ５１２を選択し、且つリモコン３０２等に備えられる＜決定＞キーを押下した場合、コントローラ２５０は、ＨＤＲに非対応であることを示すＥＤＩＤを記録再生装置３０６に送信し、電子機器本体５の表示設定をＳＤＲに対応する内容に設定する。さらに、コントローラ２５０は、表示部１１８で表示画像Ｇ５１を非表示にし、ＳＤＲ画像信号を受信し、受信したＳＤＲ画像信号にフォーカスインを実行する。このとき、図５（ｂ）に示すように、コントローラ２５０は、表示部１１８に＜切り換えています。＞表示Ｐ５２を表示する。図５（ｃ）に示すように、所定の時間経過後、例えば、３秒経過後、コントローラ２５０は、表示部１１８に表示画像Ｇ５２を表示する。
【００５２】
さらに、ユーザが、図５（ｃ）の状態から、リモコン３０２等を介してＨＤＲモード表示Ｐ５１１を選択し、且つリモコン３０２等に備えられる＜決定＞キーを押下した場合、コントローラ２５０は、ＨＤＲに対応することを示すＥＤＩＤを記録再生装置３０６に送信し、電子機器本体５の表示設定をＨＤＲに対応する内容に設定する。さらに、コントローラ２５０は、表示部１１８で表示画像Ｇ５２を非表示にし、記録再生装置３０６からＳＤＲ画像信号を受信し、受信したＳＤＲ画像信号にフォーカスインを実行する。このとき、図５（ｄ）に示すように、コントローラ２５０は、表示部１１８に＜切り換えています。＞表示Ｐ５２を表示する。図５（ｄ）に示すように、所定の時間経過後、例えば、３秒経過後、コントローラ２５０は、表示部１１８に表示画像Ｇ５１を表示する。  
なお、コントローラ２５０は、図３に示すように外部機器からＳＤＲ画像信号を受信した場合でも、操作信号に応じてこのような表示画像の切換を実行する。
【００５３】
＜切換機能＞  
図６は、ＨＤＲ画像信号の表示設定の切換機能の一例を示す図である。図６（ａ）は、ＨＤＲ画像信号の表示設定の切換機能の一例を示す図であり、図６（ｂ）は、入力切換機能の一例を示す図であり、図６（ｃ）は、ＥＯＴＦ（Electro-Optical Transfer Function：電気光伝達関数）切換機能の一例を示す図であり、図６（ｅ）は、輝度切換機能の一例を示す図である。
【００５４】
図６（ａ）に示すように、ユーザがリモコン３０２等を介して電子機器本体５に表示設定表示Ｐ６１を表示する操作信号を送信した場合、コントローラ２５０は、表示部１１８に表示設定表示Ｐ６１を表示する。表示設定表示Ｐ６１は、入力切換表示Ｐ６１１、ＥＯＴＦ切換表示Ｐ６１２、色空間切換表示Ｐ６１３、コンテンツ切換表示Ｐ６１４、ＭＡＸＣＬＬモード表示Ｐ６１５、入力信号情報表示Ｐ６１６を含む。
【００５５】
コントローラ２５０は、ＨＤＲに対応する表示設定やＳＤＲに対応する表示設定等の包括的に表示設定を変更するだけでなく、表示設定に含まれる種々の設定を個別に変更することができる。コントローラ２５０は、例えば、放送、ＨＤＭＩ、ＵＳＢ、又はインターネット等の通信回線や信号に依らず、表示部１１８に表示する画像の表示設定、例えば、ＥＯＴＦ、色空間、及び最大輝度等を変更することができる。
【００５６】
＜入力切換機能＞  
ユーザがリモコン３０２等を介して電子機器本体５に表示設定表示Ｐ６１上で入力切換表示Ｐ６１１を選択する操作信号を送信した場合、コントローラ２５０は、図６（ｂ）に示すように、表示部１１８に入力切換表示Ｐ６２を表示する。入力切換表示Ｐ６２は、放送表示Ｐ６２１、コンテンツ動画表示Ｐ６２２、ＨＤＭＩ表示Ｐ６２３、インターネット（ＮＥＴ）動画表示Ｐ６２４を含む。
【００５７】
ユーザがリモコン３０２等を介して入力切換表示Ｐ６２上の放送表示Ｐ６２１を選択した場合、コントローラ２５０は、衛星及び／又は地上波（地上デジタル）等の放送に入力を切り換える。
【００５８】
ユーザがリモコン３０２等を介して入力切換表示Ｐ６２上のコンテンツ動画表示Ｐ６２２を選択した場合、コントローラ２５０は、ＵＳＢインターフェース２０５を介するＵＳＢ接続の入力に切り換える。
【００５９】
ユーザがリモコン３０２等を介して入力切換表示Ｐ６２上のＨＤＭＩ表示Ｐ６２３を選択した場合、コントローラ２５０は、ＨＤＭＩインターフェース２０６を介するＨＤＭＩ接続の入力を切り換える。
【００６０】
ユーザがリモコン３０２等を介して入力切換表示Ｐ６２上のＮＥＴ動画表示Ｐ６２４を選択した場合、コントローラ２５０は、ネットワーク制御部２０４を介するインターネット接続の入力に切り換える。
【００６１】
＜ＥＯＴＦ切換機能＞  
ユーザがリモコン３０２等を介して電子機器本体５に表示設定表示Ｐ６１上でＥＯＴＦ切換表示Ｐ６１２を選択する操作信号を送信した場合、コントローラ２５０は、図６（ｃ）に示すように、表示部１１８にＥＯＴＦ切換表示Ｐ６３を表示する。ＥＯＴＦ切換表示Ｐ６３は、オート表示Ｐ６３１、強制ＢＴ．７０９表示Ｐ６３２、強制ＢＴ．２０２０表示Ｐ６３３、及び強制ＡＲＩＢ表示Ｐ６３４を含む。ここで、ＢＴ．７０９は、Blu-ray（登録商標）やＨＤＴＶ（High Definition Television）の色域規格であり、ＢＴ．２０２０は、ＵＨＤＴＶ（Ultra High Definition Television）の色域規格である。ＡＲＩＢは、ＨＤＲに対応する放送で検討されている規格を含み、以下では、ＨＤＲに対応する放送の規格として記載する。
【００６２】
ユーザがリモコン３０２等を介してＥＯＴＦ切換表示Ｐ６３上のオート表示Ｐ６３１を選択した場合、コントローラ２５０は、入力信号に従ったＥＯＴＦの表示設定に変更する。この場合、コントローラ２５０は、ＥＤＩＤを入力信号に従ったＥＯＴＦの画像を受信可能に変更してもよい。
【００６３】
ユーザがリモコン３０２等を介してＥＯＴＦ切換表示Ｐ６３上の強制ＢＴ．７０９表示Ｐ６３２を選択した場合、コントローラ２５０は、ＢＴ．７０９規格に従ったＥＯＴＦの表示設定に変更する。この場合、コントローラ２５０は、ＥＤＩＤをＢＴ．７０９規格に従ったＥＯＴＦの画像を受信可能に変更してもよい。
【００６４】
ユーザがリモコン３０２等を介してＥＯＴＦ切換表示Ｐ６３上の強制ＢＴ．２０２０表示Ｐ６３３を選択した場合、コントローラ２５０は、ＢＴ．２０２０規格に従ったＥＯＴＦの表示設定に変更する。この場合、コントローラ２５０は、ＥＤＩＤをＢＴ．２０２０規格に従ったＥＯＴＦの画像を受信可能に変更してもよい。
【００６５】
ユーザがリモコン３０２等を介してＥＯＴＦ切換表示Ｐ６３上の強制ＡＲＩＢ表示Ｐ６３４を選択した場合、コントローラ２５０は、ＡＲＩＢ規格に従ったＥＯＴＦの表示設定に変更する。この場合、コントローラ２５０は、ＥＤＩＤをＡＲＩＢ規格に従ったＥＯＴＦの画像を受信可能に変更してもよい。
【００６６】
＜色空間切換機能＞  
ユーザがリモコン３０２等を介して電子機器本体５に表示設定表示Ｐ６１上で色空間切換表示Ｐ６１３を選択する操作信号を送信した場合、コントローラ２５０は、図６（ｄ）に示すように、表示部１１８に色空間切換表示Ｐ６４を表示する。色空間切換表示Ｐ６４は、オート表示Ｐ６４１、強制ＢＴ．７０９表示Ｐ６４２、及び強制ＢＴ．２０２０表示Ｐ６４３を含む。
【００６７】
ユーザがリモコン３０２等を介して色空間切換表示Ｐ６４上のオート表示Ｐ６４１を選択した場合、コントローラ２５０は、入力信号に従った色空間の表示設定に変更する。この場合、コントローラ２５０は、ＥＤＩＤを入力信号に従った色空間の画像を受信可能に変更してもよい。
【００６８】
ユーザがリモコン３０２等を介して色空間切換表示Ｐ６４上の強制ＢＴ．７０９表示Ｐ６４２を選択した場合、コントローラ２５０は、ＢＴ．７０９規格に従った色空間の表示設定に変更する。この場合、コントローラ２５０は、ＥＤＩＤをＢＴ．７０９規格に従った色空間の画像を受信可能に変更してもよい。
【００６９】
ユーザがリモコン３０２等を介して色空間切換表示Ｐ６４上の強制ＢＴ．２０２０表示Ｐ６４３を選択した場合、コントローラ２５０は、ＢＴ．２０２０規格に従った色空間の表示設定に変更する。この場合、コントローラ２５０は、ＥＤＩＤをＢＴ．２０２０規格に従った色空間の画像を受信可能に変更してもよい。
【００７０】
＜コンテンツ切換機能＞  
ユーザがリモコン３０２等を介して電子機器本体５に表示設定表示Ｐ６１上でコンテンツ切換表示Ｐ６１４を選択する操作信号を送信した場合、コントローラ２５０は、コンテンツ毎に適切な表示となるように設定された表示設定に変更する。例えば、コントローラ２５０は、アニメ―ションに適切な表示設定に変更する。
【００７１】
＜ＭＡＸＣＬＬモード機能＞  
ユーザがリモコン３０２等を介して電子機器本体５に表示設定表示Ｐ６１上でＭＡＸＣＬＬモード（最大輝度設定）表示Ｐ６１５を選択する操作信号を送信した場合、コントローラ２５０は、図６（ｅ）に示すように、表示部１１８にＭＡＸＣＬＬモード表示Ｐ６５を表示する。ＭＡＸＣＬＬモード表示Ｐ６５は、オート表示Ｐ６５１、強制１０００nit表示Ｐ６５２、強制４０００nit表示Ｐ６５３、及び強制１００００nit表示Ｐ６５４を含む。
【００７２】
ユーザがリモコン３０２等を介してＭＡＸＣＬＬモード表示Ｐ６５上のオート表示Ｐ６５１を選択した場合、コントローラ２５０は、入力信号に従った最大輝度の表示設定に変更する。この場合、コントローラ２５０は、ＥＤＩＤを入力信号に従った最大輝度の画像を受信可能に変更してもよい。
【００７３】
ユーザがリモコン３０２等を介してＭＡＸＣＬＬモード表示Ｐ６５上のオート表示Ｐ６５２を選択した場合、コントローラ２５０は、最大輝度を１０００nitに変更する。この場合、コントローラ２５０は、ＥＤＩＤの最大輝度を１０００nitに変更してもよい。
【００７４】
ユーザがリモコン３０２等を介してＭＡＸＣＬＬモード表示Ｐ６５上のオート表示Ｐ６５３を選択した場合、コントローラ２５０は、最大輝度を４０００nitに変更する。この場合、コントローラ２５０は、ＥＤＩＤの最大輝度を４０００nitに変更してもよい。
【００７５】
ユーザがリモコン３０２等を介してＭＡＸＣＬＬモード表示Ｐ６５上のオート表示Ｐ６５４を選択した場合、コントローラ２５０は、最大輝度を１００００nitに変更する。この場合、コントローラ２５０は、ＥＤＩＤの最大輝度を１００００nitに変更してもよい。
【００７６】
なお、ＭＡＸＣＬＬモード表示Ｐ６５は、予め規定した輝度でなくとも、リモコン３０２等を介して、例えば、１００nit〜１００００nitの間の任意の輝度に変更できる表示（メニュー、又はボタン）を備えていてもよい。
【００７７】
＜入力信号情報表示機能＞  
図７Ａ、及び図７Ｂは、詳細な入力信号情報表示の一例を示す図であり、図８は、簡易的な入力信号情報表示の一例を示す図である。
【００７８】
ユーザがリモコン３０２等を介して電子機器本体５に表示設定表示Ｐ６１上で入力信号情報表示Ｐ６１６を＜オン＞に設定した状態で、外部機器からＨＤＲ画像信号を受信した場合、コントローラ２５０は、図７Ａに示すように、表示部１１８に＜ハイダイナミックレンジ情報＞を含む入力信号情報表示Ｐ７１を表示する。
【００７９】
ユーザがリモコン３０２等を介して電子機器本体５に表示設定表示Ｐ６１上で入力信号情報表示Ｐ６１６を＜オン＞に設定した状態で、外部機器からＳＤＲ画像信号を受信した場合、コントローラ２５０は、図７Ｂに示すように、表示部１１８に＜ハイダイナミックレンジ情報＞を含まない入力信号情報表示Ｐ７２を表示する。
【００８０】
また、図７Ａに示す状態でユーザがリモコン３０２等を介して電子機器本体５に入力信号情報表示Ｐ６１６の表示切換の信号を送信した場合、コントローラ２５０は、図８に示すように、表示部１１８に簡易的な＜ハイダイナミックレンジ情報＞Ｐ８１を表示する。
【００８１】
なお、ユーザがリモコン３０２等を介して電子機器本体５に表示設定表示Ｐ６１上で入力信号情報表示Ｐ６１６を＜オフ＞に設定した状態で、外部機器からＨＤＲ又はＳＤＲ画像信号を受信した場合、コントローラ２５０は、入力信号情報表示Ｐ７１を表示しない。
【００８２】
図９は、本実施形態の電子機器本体５の表示設定の変更を示すフローチャートである。  
コントローラ２５０は、メモリ等の記憶媒体に設定されている表示設定と異なる表示設定の画像信号を外部機器から受信したものとする（Ｓ９０１）。コントローラ２５０は、ＨＤＲに対応する表示設定に設定されている場合に、外部機器からＨＤＭＩインターフェース２０６を介してＳＤＲに対応する表示設定の画像信号を受信する。
【００８３】
コントローラ２５０は、表示設定を変更するかどうかを判定する（Ｓ９０２）。コントローラ２５０は、ＳＤＲに対応する表示設定、及びＨＤＲに対応する表示設定のいずれかを選択する表示を表示部１１８に表示し、リモコン３０２等を介した操作信号に応じて、これらの表示設定の内の選択された表示設定に変更するかどうかを判定する。
【００８４】
コントローラ２５０は、選択された表示設定に応じて、自機の表示設定情報を変更する（Ｓ９０３）。ＳＤＲに対応する表示設定情報に変更すると判定した場合、コントローラ２５０は、電子機器本体５（シンク側）のＥＤＩＤと、表示設定とをＳＤＲに対応する内容に変更する。
【００８５】
コントローラ２５０は、自機の表示設定情報を変更した場合、データを送受信している他機との接続をリセットする（Ｓ９０４）。本実施形態では、コントローラ２５０は、ＨＰＤ（Hot Plug Detect）信号をロー（Low）にして、記録再生装置（ソース側）３０６に送信する。
【００８６】
コントローラ２５０は、コンテンツデータを送信している他機との接続を再認識する（Ｓ９０５）。本実施形態では、コントローラ２５０は、ＨＰＤ（Hot Plug Detect）信号をハイ（High）にして、記録再生装置（ソース側）３０６に送信する。
【００８７】
コントローラ２５０は、他機からの表示設定情報の要求を受信する（Ｓ９０６）。つまりコントローラ２５０は、記録再生装置３０６からＥＤＩＤの要求を受信する。  
コントローラ２５０は、自機の表示設定情報を要求してきた他機に送信する（Ｓ９０７）。コントローラ２５０は、電子機器本体５のＥＤＩＤを記録再生装置３０６に送信する。このとき、記録再生装置３０６は、ＥＤＩＤに対応する画像信号を出力する。  
電子機器本体５は、表示設定情報に基づいた画像信号を受信する（Ｓ９０８）。コントローラ２５０は、ＥＤＩＤに基づいて画像信号、例えば、ＳＤＲ画像信号を受信する。
【００８８】
コントローラ２５０は、表示設定に基づいて、受信した画像を表示する（Ｓ９０９）。コントローラ２５０は、表示設定に基づいて、受信したＳＤＲ画像信号を表示部１１８に表示する。
【００８９】
本実施形態によれば、電子機器本体５は、ＨＤＲに対応する表示設定でＳＤＲ画像信号を受信した場合、選択メニューで、ＨＤＲに対応する表示設定、及びＳＤＲに対応する表示設定のいずれか一方で視聴するかを選択できる。このとき、ユーザは、ＨＤＲに対応する表示設定でのＳＤＲ画像信号、又はＳＤＲに対応する表示設定でのＳＤＲ画像信号を確認しながら選択できる。したがって、電子機器本体５は、ユーザの意向にあった最適な画像を提供することができる。
【００９０】
上記した説明ではＨＤＭＩケーブルの接続端子が１つの場合を説明した。しかしＨＤＭＩケーブルの接続端子を複数備える電子機器本体５であってもよい。この場合、ＨＤＭＩケーブルの接続端子毎に上記した表示設定情報の変更及び設定が可能としてもよいし、一括して、すべてのＨＤＭＩケーブルの接続端子に対して表示設定情報の変更及び設定が可能であってもよい。
【００９１】
上記したシステム及び機器は各種の独自構成を備えている。以下、その独自の構成の一部を記載する。  
（１）画像を表示する表示部と、外部機器と接続される複数の接続端子と、前記複数の接続端子の内の第１端子を介して第１入力信号を受信し、前記第１入力信号がＨＤＲ画像信号と異なる非ＨＤＲ画像信号である場合に、ＨＤＲ画像信号に対応することを示す第１表示設定情報を変更するコントローラと、を備える。
【００９２】
（２）前記コントローラは、非ＨＤＲ画像信号を受信した際に、前記非ＨＤＲ画像信号の画像と、前記第１表示設定情報を変更する第１表示と、前記第１表示設定情報を変更しない第２表示とを前記表示部に表示し、前記第１表示を選択する信号を受信した場合に、前記第１表示設定情報をＨＤＲ画像信号に対応しない第２表示設定情報に変更し、前記表示設定情報を要求に応じて前記接続端子を介して出力する、前記（１）記載の電子機器。
【００９３】
（３）画像を表示する表示部と、外部機器と接続される複数の接続端子とを備える電子機器に適用する表示方法であって、前記複数の接続端子の内の第１端子を介して第１入力信号を受信し、前記第１入力信号がＨＤＲ画像信号と異なる非ＨＤＲ画像信号である場合に、ＨＤＲ画像信号に対応することを示す表示設定情報を変更する、表示方法。
【００９４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許の請求の範囲に記載された発明とその均等の範囲に含まれるものである。
【符号の説明】
【００９５】
１…電子機器システム、３０…端子、１０４…アンテナ部、１０５…外部入力端子、１０６、１０７…外部出力端子、１１１…入力部、１１２…復調部、１１３…信号処理部、１１５…ＯＳＤ信号生成部、１１６…グラフィック処理部、１１７…映像処理部、１１８…表示部、１１９…音声処理部、１２０…音声出力部、２０１…操作部、２０２…受信部、２０３…通信インターフェース、２０４…ネットワーク制御部、２０５…ＵＳＢインターフェース、２０６…ＨＤＭＩインターフェース、２０７…カードインターフェース、２０８…カードホルダ、２５０…システムコントローラ、２５１…ＣＰＵ、２５２…ＲＯＭ、２５３…ＲＡＭ、２５４…ＮＶＭ、２５５…表示設定部、２５６…接続制御部、３０６…記録再生装置。
【図１】
0006535560.tif 000002
【図２】
0006535560.tif 000003
【図３】
0006535560.tif 000004
【図４】
0006535560.tif 000005
【図５】
0006535560.tif 000006
【図６】
0006535560.tif 000007
【図７Ａ】
0006535560.tif 000008
【図７Ｂ】
0006535560.tif 000009
【図８】
0006535560.tif 000010
【図９】
0006535560.tif 000011